(57)【要約】【課題】嵩張らない折畳状態から迅速に組み立てられる商品陳列台を提供する。【解決手段】周方向に脚板１１，１２を連設した角筒状の本体１と、底板２１の周囲各辺に立上壁２２，２３を設けたトレイ２とを備え、本体１の上部にトレイ２を載せて支持する商品陳列台において、本体１の両側の脚板１２に、それぞれ奥行方向の中間部で上下に延びる折目線１４を入れると共に、トレイ２の底板２１に、奥行方向の中間部で幅方向に延びる折目線２５を入れ、両側の立上壁２３を底板２１の折目線２５の位置で分割し、底板２１の折目線２５を挟んだ各部を本体１の前後の脚板１１の上部に揺動自在に固定しておく。トレイ２を底板２１の折目線２５に沿って二つ折りにすると、本体１の両側の脚板１２が折目線１４を軸に折り込まれて、折畳状態となり、その状態からトレイ２の折り曲げを戻すと、脚板１２の折り曲げが一定角度戻されて、組立状態となるようにする。【選択図】図３
2014036794.tif 000002
【特許請求の範囲】
【請求項１】
周方向に脚板(11,12)を連設した角筒状の本体(1)と、底板(21)の周囲各辺に立上壁(22,23)を設けたトレイ(2)とを備え、本体(1)の上部にトレイ(2)を載せて支持する商品陳列台において、前記本体(1)の両側の脚板(12)に、それぞれ奥行方向の中間部で上下に延びる折目線(14)を入れると共に、前記トレイ(2)の底板(21)に、奥行方向の中間部で幅方向に延びる折目線(25)を入れ、両側の立上壁(23)を底板(21)の折目線(25)の位置で分割し、底板(21)の折目線(25)を挟んだ各部を本体(1)の前後の脚板(11)の上部に揺動自在に固定しておき、トレイ(2)を底板(21)の折目線(25)に沿って二つ折りにすると、本体(1)の両側の脚板(12)が折目線(14)を軸に折り込まれて、折畳状態となり、その状態からトレイ(2)の折り曲げを戻すと、脚板(12)の折り曲げが一定角度戻されて、組立状態となるようにしたことを特徴とする商品陳列台。
【請求項２】
前記本体(1)の前後の脚板(11)の下端部同士を底繋板(3)により連結し、底繋板(3)に、奥行方向の中間部で幅方向に延びる折目線(31)を入れ、折畳状態では、底繋板(3)が折目線(31)を軸に折れ曲がり、組立状態では、折り曲げが復元した底繋板(3)により規制されて、本体(1)の両側の脚板(12)が折目線(14)を軸に窪むように折れ曲がった状態に維持されるようにしたことを特徴とする請求項１に記載の商品陳列台。
【請求項３】
前記トレイ(2)に上方から嵌め込まれる底パッド(4)を備え、底パッド(4)の一辺をトレイ(2)の前後いずれか一方の立上壁(22)に起伏自在に繋ぎ、折畳状態では、底パッド(4)がトレイ(2)の他方部分から抜けるようにし、組立状態では、トレイ(2)に押し込まれた底パッド(4)で底板(21)の折目線(25)に沿った屈曲が阻止されて、トレイ(2)が展開した状態に維持されるようにしたことを特徴とする請求項１又は２に記載の商品陳列台。
【発明の詳細な説明】
【技術分野】
【０００１】
この発明は、段ボール等の厚紙から成り、店頭での商品陳列に使用される組立式陳列台に関するものである。
【背景技術】
【０００２】
従来、段ボールを素材とする組立式陳列台として、下記特許文献１には、図７に示すようなものが記載されている。この陳列台は、角筒状に連設された前板６１、上部の対向する側板６２及び背板６３と、側板６２の下方の折込板６４とから周壁が構成され、折込板６４は、中間部の折目線に沿って窪むように折り曲げられる。
【０００３】
側板６２の上端には、内側板６５及び支持片６６が順次連設され、内側板６５は、側板６２の内面に沿うように折り曲げられ、支持片６６は、折込板６４の上端に載るように折り曲げられる。背板６３の上端には、内背板６７が連設され、内背板６７は、背板６３の内面に沿うように折り曲げられる。
【０００４】
前板６１の上端には、内前板６８及び底板６９が順次連設され、内前板６８は、前板６１の内面に沿うように折り曲げられ、底板６９は、支持片６６に載るように折り曲げられる。そして、店頭で商品を陳列する際、底板６９に商品を置くと、商品の荷重は、折込板６４で支持される。
【０００５】
ところで、この陳列台は、製造後の状態で、偏平に折り畳むことができず、運搬時に嵩張る形状となり、また、背板６３に折込板６４の先端の糊代部を接着する際にも、偏平な状態で貼り付けることができないため、作業性がよくないという問題がある。また、商品を載置する底板６９の大きさが前板６１、両側板６２及び背板６３から成る周壁の寸法に制約されるという問題もある。
【０００６】
このように寸法が制約される問題に対し、商品の載置面積を大きく確保する必要がある場合、図８に示すように、角筒状の本体７１の上部に、その周囲から張り出すようにトレイ７２を載せて支持する陳列台が使用されることもある。
【０００７】
この陳列台の本体７１は、周方向に脚板７３を連設したものとされ、トレイ７２は、底板７４の周囲各辺に立上壁７５を設けたものとされている。本体７１の内部には、耐荷重性を確保するため、２枚の板材を交差させた受架材７６が対角稜部に亘って挿入され、本体７１とトレイ７２とは、脚板７３の上端から延びる差込片７７を底板７４のスリット７８に差し込んで、互いに動かないように固定される。
【０００８】
そして、トレイ７２には、底パッド７９が嵌め込まれ、底パッド７９の周縁がトレイ７２に内接して、トレイ７２の保形性が高められる。また、トレイ７２の後部には、訴求性を向上させるため、広告板８０が立設される。
【先行技術文献】
【特許文献】
【０００９】
【特許文献１】特開２００１−１２０４００号公報
【発明の概要】
【発明が解決しようとする課題】
【００１０】
しかしながら、上記のような本体とトレイから成る陳列台では、本体への受架材の挿入や、本体とトレイとの結合等、組み立てに大変手間がかかり、また、運搬時や保管時に嵩張るという問題がある。
【００１１】
そこで、この発明は、本体とトレイから成る陳列台を、嵩張らないように折り畳むことができ、その折畳状態から迅速に組み立てられるようにすることを課題とする。
【課題を解決するための手段】
【００１２】
上記のような課題を解決するため、この発明は、周方向に脚板を連設した角筒状の本体と、底板の周囲各辺に立上壁を設けたトレイとを備え、本体の上部にトレイを載せて支持する商品陳列台において、前記本体の両側の脚板に、それぞれ奥行方向の中間部で上下に延びる折目線を入れると共に、前記トレイの底板に、奥行方向の中間部で幅方向に延びる折目線を入れ、両側の立上壁を底板の折目線の位置で分割し、底板の折目線を挟んだ各部を本体の前後の脚板の上部に揺動自在に固定しておき、トレイを底板の折目線に沿って二つ折りにすると、本体の両側の脚板が折目線を軸に折り込まれて、折畳状態となり、その状態からトレイの折り曲げを戻すと、脚板の折り曲げが一定角度戻されて、組立状態となるようにしたのである。
【００１３】
また、前記本体の前後の脚板の下端部同士を底繋板により連結し、底繋板に、奥行方向の中間部で幅方向に延びる折目線を入れ、折畳状態では、底繋板が折目線を軸に折れ曲がり、組立状態では、折り曲げが復元した底繋板により規制されて、本体の両側の脚板が折目線を軸に窪むように折れ曲がった状態に維持されるようにしたのである。
【００１４】
また、前記トレイに上方から嵌め込まれる底パッドを備え、底パッドの一辺をトレイの前後いずれか一方の立上壁に起伏自在に繋ぎ、折畳状態では、底パッドがトレイの他方部分から抜けるようにし、組立状態では、トレイに押し込まれた底パッドで底板の折目線に沿った屈曲が阻止されて、トレイが展開した状態に維持されるようにしたのである。
【発明の効果】
【００１５】
この発明に係る商品陳列台は、トレイを二つ折りにするだけで、本体の両側の脚板が折り込まれて、簡単に偏平な状態に折り畳むことができ、嵩張らない状態で運搬して、保管しておくことができる。
【００１６】
また、折畳状態からトレイの折り曲げを戻すだけで、脚板の折り曲げが一定角度戻されて、簡単に組み立てることができ、店頭での陳列作業を迅速に行うことができる。
【００１７】
そして、組立状態では、本体の両側の脚板が窪んだ状態に維持されるので、耐荷重性が確保され、トレイに押し込んだ底パッドにより、商品の載置面の水平性が確保される。
【図面の簡単な説明】
【００１８】
【図１】この発明の実施形態に係る陳列台の組立状態を示す斜視図
【図２】同上の構成部材の分解斜視図
【図３】同上の組立又は折畳過程を示す斜視図
【図４】同上の陳列台の折畳状態を示す斜視図
【図５】同上の本体の構成部材のブランクを示す図
【図６】同上のトレイのブランクを示す図
【図７】特許文献１に記載の陳列台を示す斜視図
【図８】従来の本体とトレイから成る陳列台を示す斜視図
【発明を実施するための形態】
【００１９】
以下、この発明の実施形態を添付図面に基づいて説明する。
【００２０】
この商品陳列台は、段ボール等の厚紙を材料とするものであり、図１及び図２に示すように、角筒状の本体１と、その上に載せられるトレイ２と、本体１の底部に取り付けられる底繋板３と、トレイ２に嵌め込まれる底パッド４と、トレイ２の後部に立てられる広告板５とから構成される。
【００２１】
本体１は、図５に示す構成部材のブランクを２枚継ぎ合わせて形成される。このブランクでは、本体１の前面又は後面となる脚板１１の一側に、側面となる脚板１２及び継代片１３が順次連設され、脚板１２には、組立時における奥行方向の中間部で上下に延びる折目線１４が入れられている。脚板１１の上端及び下端にそれぞれ取付片１５，１６が連設され、これらにビス穴１７が２個ずつ穿設されている。
【００２２】
本体１の組み立てに際しては、図２に示すように、２枚のブランクを対向させて、一方のブランクの継代片１３と他方のブランクの脚板１１とを稜部で貼り合わせる。
【００２３】
トレイ２は、図６に示すブランクから形成される。このブランクでは、底板２１の周囲の一対の対向辺に前面及び後面となる立上壁２２が、他対の対向辺に側面となる立上壁２３がそれぞれ連設されている。立上壁２２，２３は、二重構造の外面部と内面部及び額縁部を構成する部分から成り、立上壁２２の外面部及び内面部の両側端には、折込片２４がそれぞれ連設されている。
【００２４】
底板２１には、組立時における奥行方向の中間部で幅方向に延びる折目線２５が入れられ、立上壁２３は、折目線２５の位置から切目線２６を入れて分割されている。切目線２６は、立上壁２３の外面部と内面部で相反する方向へ膨出するＳ字状とされている。底板２１の折目線２５を挟んだ各部には、ビス穴２７が２個ずつ穿設されている。一方の立上壁２２の額縁部には、広告板５を差し込むスリット２８が設けられている。
【００２５】
トレイ２の組み立てに際しては、図２に示すように、各一対の立上壁２２，２３を巻き込むように折り曲げて、折込片２４を立上壁２３の内部に挟み込み、底板２１の周囲に立上壁２２，２３を起立させる。
【００２６】
また、底繋板３は、組立状態における奥行方向の中間部で幅方向に延びる折目線３１を入れ、折目線３１を挟んだ各部に、ビス穴３２を２個ずつ穿設し、両側縁を折目線３１の位置が谷となるＶ字状に切り込んだものとされている。
【００２７】
底パッド４は、トレイ２の底板２１に対応する上底板４１の周囲各辺に、それぞれ底縁片４２を連設し、上底板４１から各底縁片４２を下方へ折り曲げたものとされている。
【００２８】
広告板５は、正面板５１の上端に、これより短い背面板５２を連設し、正面板５１と背面板５２とを貼り合わせ、背面板５２の下端に差込片５３を設けたものとされている。
【００２９】
そして、陳列台の組み立てに際しては、本体１の取付片１５を内側へ折り曲げ、そのビス穴１７と底板２１のビス穴２７とにビス６を挿通して、底板２１の折目線２５を挟んだ各部を取付片１５に固定することにより、本体１にトレイ２を取り付ける。
【００３０】
また、本体１の取付片１６を内側へ折り曲げ、そのビス穴１７と底繋板３のビス穴３２とにビス６を挿通して、底繋板３の折目線３１を挟んだ各部を取付片１６に固定することにより、対向する脚板１１の下端部同士を連結する。
【００３１】
さらに、底パッド４の一辺の底縁片４２を、トレイ２の一方の立上壁２２の内面に貼り付けると、本体１、トレイ２、底繋板３及び底パッド４は一体化される。
【００３２】
このような陳列台は、図３に示すように、トレイ２を底板２１の折目線２５に沿って二つ折りにすると、本体１の両側の脚板１２が折目線１４を軸に折り込まれると共に、底繋板３が折目線３１を軸に二つ折りにされ、底パッド４がトレイ２の他方部分から抜けて、図４に示すように、偏平化された折畳状態となるので、嵩張らない状態で運搬して、保管しておくことができる。
【００３３】
そして、店頭で商品を陳列する際には、折畳状態から、図３に示す状態を経て、図１に示すように、トレイ２の折り曲げを戻すと、脚板１２の折り曲げが一定角度戻され、本体１が自立するようになる。
【００３４】
その後、トレイ２に底パッド４を押し込んで、底パッド４の底縁片４２をトレイ２の立上壁２２，２３に内接させ、広告板５の正面板５１の下部をトレイ２の後側となる立上壁２２の内面に沿わせて、差込片５３をスリット２８に差し込むと、迅速に組み立てが完了し、商品を上底板４１に載置して陳列できる状態となる。
【００３５】
この組立状態では、折目線３１に沿った折り曲げが復元した底繋板３により規制され、脚板１２が折目線１４を軸として僅かに窪むように折れ曲がった状態に維持されるので、耐荷重性が確保され、重い商品であっても、安定して支持することができる。
【００３６】
また、トレイ２に押し込んだ底パッド４が底縁片４２により堅固な構造となっており、底パッド４で底板２１の折目線２５に沿った屈曲が阻止されて、トレイ２が確実に展開形状に維持されて、商品の載置面である上底板４１の水平性が確保される。
【００３７】
さらに、トレイ２の両側の立上壁２３を分割する切目線２６が、立上壁２３の外面部と内面部で相反する方向へ膨出するＳ字状とされているので、中間部で突き合わされた立上壁２３の外面部及び内面部のそれぞれのずれが抑制され、トレイ２の形状が安定する。
【００３８】
上記のような組立状態で商品をキャンペーン等の所定期間陳列した後、この陳列具は、折畳状態で保管し、再度の使用に際して、迅速に組み立てることができ、広告板５を交換するだけで、何度でも繰り返して使用できるので、商品ごとに新しい陳列台を用意する必要がなくなり、陳列コストを削減し、資源の有効利用を図ることができる。
【００３９】
なお、上記実施形態では、底パッド４を、上底板４１の周囲各辺に底縁片４２を連設した構成としたが、底パッド４の材料として、折曲強度が大きいものを使用すれば、底縁片４２を省略してもよい。
【符号の説明】
【００４０】
１  本体
２  トレイ
３  底繋板
４  底パッド
５  広告板
６  ビス
１１，１２  脚板
１３  継代片
１４  折目線
１５，１６  取付片
１７  ビス穴
２１  底板
２２，２３  立上壁
２４  折込片
２５  折目線
２６  切目線
２７  ビス穴
２８  スリット
３１  折目線
３２  ビス穴
４１  上底板
４２  底縁片
５１  正面板
５２  背面板
５３  差込片
【図１】
2014036794.tif 000003
【図２】
2014036794.tif 000004
【図３】
2014036794.tif 000005
【図４】
2014036794.tif 000006
【図５】
2014036794.tif 000007
【図６】
2014036794.tif 000008
【図７】
2014036794.tif 000009
【図８】
2014036794.tif 000010